(57)【要約】【課題】電子機器側から発生するノイズの影響を最小限に抑制し、マイクロフォンの収音特性を向上させる。【解決手段】マイクロフォン装置２００は、マイクロフォン収容ケース２００２と、３つのマイクロフォン８０Ａ、８０Ｂ、８０Ｃと、基板８８とを備え、マイクロフォン収容ケース２０２は、マイクロフォン収容用の細長い収容空間２０８を有するマイクロフォン収容部２０４を有し、基板８８は幅と、この幅よりも大きな寸法の長さを有し、基板８８はその長さ方向を収容空間２０８の長さ方向に向けて収容空間２０８の底部に配置され、３つのマイクロフォン８０Ａ、８０Ｂ、８０Ｃは収容空間２０８内で基板８８の上方に配置されている。【選択図】図２０
2006186758.tif 000002
【特許請求の範囲】
【請求項１】
電子機器に取着されるマイクロフォン装置であって、
マイクロフォン収容ケースと、
複数のマイクロフォンと、
前記複数のマイクロフォンとの間で電気信号の授受を行う基板とを備え、
前記マイクロフォン収容ケースは、マイクロフォン収容用の細長い収容空間を有するマイクロフォン収容部を有し、
前記基板は幅と、この幅よりも大きな寸法の長さを有し、
前記基板はその長さ方向を前記収容空間の長さ方向に向けて前記収容空間の底部に配置され、
前記複数のマイクロフォンは前記収容空間内で前記基板の上方に配置されている、
ことを特徴とするマイクロフォン装置。
【請求項２】
前記複数のマイクロフォンは、前記収容空間の長さ方向に間隔をおいて配置されていることを特徴とする請求項１記載のマイクロフォン装置。
【請求項３】
前記複数のマイクロフォンは、前記収容空間の長さ方向の一方を向いたマイクロフォンと、前記収容空間の長さ方向の他方を向いたマイクロフォンと、前記収容空間の長さ方向と直交する方向を向いたマイクロフォンであることを特徴とする請求項１記載のマイクロフォン装置。
【請求項４】
前記収容空間の長さ方向の両端に位置する前記マイクロフォン収容部の箇所は、前記収容空間を開放させる開口部として形成されるともに、前記収容空間の長さ方向の中間部に位置する前記マイクロフォン収容ケースの箇所に前記収容空間を開放させる開口部が形成され、前記各開口部は、音の通過を可能とし塵埃の通過を阻止するカバーで塞がれていることを特徴とする請求項１記載のマイクロフォン装置。
【請求項５】
前記複数のマイクロフォンは、前記収容空間の内部に配設された支持部材により、前記収容空間を画成する前記マイクロフォン収容部の壁部と前記基板との双方から離されて支持されていることを特徴とする請求項１記載のマイクロフォン装置。
【請求項６】
前記複数のマイクロフォンは、前記収容空間の内部に配設された支持部材により、前記収容空間を画成する前記マイクロフォン収容部の壁部と前記基板との双方から離されて支持され、前記支持部材は、前記マイクロフォンが保持される保持体と、前記収容空間を画成する前記マイクロフォン収容部の壁部と前記保持体を連結する連結体とで構成され、前記連結体は弾性変形可能な材料で形成されていることを特徴とする請求項１記載のマイクロフォン装置。
【請求項７】
前記複数のマイクロフォンは、前記収容空間の内部に配設された支持部材により、前記収容空間を画成する前記マイクロフォン収容部の壁部と前記基板との双方から離されて支持され、前記支持部材は、細長い形状をなしその長さ方向に間隔をおいた複数箇所に前記マイクロフォンが嵌め込まれ保持される複数の中空状の保持壁が一体に形成された保持体と、前記収容空間を画成する前記マイクロフォン収容部の壁部と前記保持体の長さ方向に間隔をおいた複数箇所とを連結する連結体とで構成されていることを特徴とする請求項１記載のマイクロフォン装置。
【請求項８】
前記基板は、前記収容空間の長さ方向の全長にわたって延在していることを特徴とする請求項１記載のマイクロフォン装置。
【請求項９】
前記マイクロフォン収容部は円筒状の収容壁を有し、前記収容空間は前記収容壁の内部に円柱状に画成され、前記基板は長方形を呈し、その長辺方向を前記収容空間の長さ方向に向けて配置されていることを特徴とする請求項１記載のマイクロフォン装置。
【請求項１０】
前記マイクロフォン収容部の下部に前記電子機器への取り付け用の取り付け部が設けられ、前記取り付け部の下部に前記電子機器のコネクタに係脱可能に取着されるマイクロフォン側コネクタが設けられ、前記マイクロフォンへの電源の供給は、前記電子機器のコネクタ、マイクロフォン側コネクタ、前記基板を介して行われることを特徴とする請求項１記載のマイクロフォン装置。
【請求項１１】
前記マイクロフォン収容部の下部に前記電子機器への取り付け用の取り付け部が設けられ、前記取り付け部の下部に前記電子機器のコネクタに係脱可能に取着されるマイクロフォン側コネクタが設けられ、前記マイクロフォンへの電源の供給および前記マイクロフォンとの電気信号の授受は、前記電子機器のコネクタ、マイクロフォン側コネクタ、前記基板を介して行われることを特徴とする請求項１記載のマイクロフォン装置。
【請求項１２】
前記電子機器は撮像装置であり、前記撮像装置は外装を構成するケースを有し、前記マイクロフォン装置は前記ケースの上面に着脱可能に取着されることを特徴とする請求項１記載のマイクロフォン装置。
【請求項１３】
前記電子機器は撮像装置であり、前記撮像装置は外装を構成するケースを有し、前記ケースの上面には、前記電子機器のコネクタが設けられ、前記マイクロフォン収容部の下部に前記電子機器への取り付け用の取り付け部が設けられ、前記取り付け部の下部に前記電子機器のコネクタに係脱可能に取着されるマイクロフォン側コネクタが設けられ、前記マイクロフォンへの電源の供給および前記マイクロフォンとの電気信号の授受は、前記電子機器のコネクタ、マイクロフォン側コネクタ、前記基板を介して行われることを特徴とする請求項１記載のマイクロフォン装置。
【請求項１４】
前記マイクロフォン側コネクタは、マイクロフォン装置側の電源用または信号授受用の接片を有し、電子機器側の電源用または信号授受用の接片を有する相手方の電子機器側コネクタに結合されるものであって、
前記電子機器側コネクタは、同一面上で延在してそれらの縁部が互いに対向する一対の係止板と、前記互いに対向する一対の係止板の縁部の間に前記対向する方向と直交する方向に延在形成されたガイド溝と、各係止板の下面に臨むように設けられた空間部とを備え、
前記互いに対向する係止板の縁部には、前記互いに対向する係止板の縁部が離れる方向に窪む第１凹部と、前記互いに対向する係止板の縁部が近づく方向に突出する第１凸部と、前記互いに対向する係止板の縁部が離れる方向に窪む第２凹部と、前記互いに対向する係止板の縁部が近づく方向に突出する第２凸部とが前記ガイド溝の延在方向にそれらの順番で設けられ、
前記マイクロフォン側コネクタは、長さを有しその長さ方向の先部に前記接片が設けられた軸部を備え、
前記軸部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記クセサリー側コネクタの接片は、前記第1係止片および第２係止片が前記第１凸部と第２凸部の下面に当接した状態で前記電子機器側コネクタの接片に接触するように設けられ、
前記軸部の先部が前記ガイド溝に挿入された状態で前記係止板の上方の前記軸部箇所に回転可能に操作リングが設けられ、
前記軸部の両側に前記操作リングの回転操作により前記軸部の長さ方向に移動する締め付けブロックが設けられ、
前記締め付けブロックは、前記第1係止片および第２係止片が前記第１凸部と第２凸部の下面に当接した状態で前記第１凸部と前記第２凸部の上面に当接し前記第１係止片および前記第２係止片と協働して前記第１凸部と前記第２凸部を締め付け固定する締め付け部と、前記第１凸部と第２凸部の間の第２凹部に挿入され前記軸部の前記ガイド溝の延在方向に沿った移動を阻止する移動阻止部とを有する、
ことを特徴とする請求項１３記載のマイクロフォン装置。
【請求項１５】
前記軸部の先部で前記第１係止片と第２係止片との間の箇所には、前記第１係止片が前記第１凹部を通って前記空間部に位置し前記第２係止片が第２凹部を通って前記空間部に位置した状態で第１凹部内に位置し、前記空間部内で第１係止片および第２係止片が前記第１凸部と第２凸部の下面方向に移動する際に前記第１凸部の先端に弾接し、かつ、前記第１係止片および第２係止片が前記第１凸部と第２凸部の下面に位置した状態で前記第２凹部内に位置するばね片が設けられていることを特徴とする請求項１４記載のマイクロフォン装置。
【発明の詳細な説明】
【技術分野】
【０００１】
本発明は例えば撮像装置などの電子機器に装着されるマイクロフォン装置に関する。
【背景技術】
【０００２】
撮像装置などのような電子機器の外装を構成するケースに取着され収音を行うマイクロフォン装置がある。
このようなマイクロフォン装置として、そのケース内に複数のマイクロフォンと信号処理回路とを収容し、各マイクロフォンから出力されたオーディオ信号を信号処理回路によって処理することにより、例えばサラウンドシステムに適合した複数チャンネルのオーディオ信号を生成し、これら複数チャンネルのオーディオ信号を撮像装置の音声入力端子に供給するものが提案されている（特許文献１参照）。
【特許文献１】特開２００３−１８５４３号公報
【発明の開示】
【発明が解決しようとする課題】
【０００３】
上述したマイクロフォン装置では、マイクロフォン装置から電子機器に供給されるオーディオ信号の特性を確保する上で各マイクロフォンから出力されるオーディオ信号に含まれるノイズ成分を低減することが要求されている。
しかしながら、マイクロフォン装置が電子機器に装着されることから、電子機器側で発生するノイズを拾いやすいという欠点がある。
また、この種のマイクロフォン装置では、このマイクロフォン装置のケース内に収容した基板を介してマイクロフォンへの電源の供給およびマイクロフォンとの電気信号の授受が行われているが、この基板が、マイクロフォンを収容する空間内に突出され、収音の際の妨げとなり、マイクロフォンの収音特性を向上させる上で不利があった。
本発明はこのような事情に鑑みなされたものであり、その目的は、電子機器側から発生するノイズの影響を最小限に抑制する上で有利となり、また、マイクロフォンの収音特性を向上させる上で有利なマイクロフォン装置を提供することにある。
【課題を解決するための手段】
【０００４】
上述の目的を達成するため、本発明は、電子機器に取着されるマイクロフォン装置であって、マイクロフォン収容ケースと、複数のマイクロフォンと、前記複数のマイクロフォンとの間で電気信号の授受を行う基板とを備え、前記マイクロフォン収容ケースは、マイクロフォン収容用の細長い収容空間を有するマイクロフォン収容部を有し、前記基板は幅と、この幅よりも大きな寸法の長さを有し、前記基板はその長さ方向を前記収容空間の長さ方向に向けて前記収容空間の底部に配置され、前記複数のマイクロフォンは前記収容空間内で前記基板の上方に配置されていることを特徴とする。
【発明の効果】
【０００５】
そのため、本発明によれば、複数のマイクロフォンがマイクロフォン収容部の収容空間内で基板の上方に配置されているので、撮像装置側で発生するノイズが基板によって遮音され、基板の上方に配置されている複数のマイクロフォンに伝達されにくくなり、撮像装置側から発生するノイズの影響を最小限に抑制する上で有利となる。
また、複数のマイクロフォンが収容空間内で基板の上方に配置されているので、各マイクロフォンの周囲には、収音の際に障害となる部材が存在せず、したがって、各マイクロフォンの収音特性を向上させる上で有利となる。
【発明を実施するための最良の形態】
【０００６】
複数のマイクロフォンをマイクロフォン収容部の収容空間内で基板の上方に配置したことによって上記目的を実現した。
【実施例１】
【０００７】
次に本発明の実施例１について図面を参照して説明する。
本実施例では電子機器はビデオカメラ１００である。
図１は実施例１のビデオカメラ１００を前方から見た斜視図である。
図２は電子機器に設けられた電子機器側コネクタのシャッタが閉塞位置にある状態を示す斜視図、図３は電子機器に設けられた電子機器側コネクタのシャッタが開放位置にある状態を示す斜視図である。
図４（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図５（Ｅ）は図４（Ｄ）のＥ矢視図、（Ｆ）は（Ｅ）のＦＦ線断面図である。
図６はマイクロフォン装置に設けられたマイクロフォン側コネクタの斜視図、図７はマイクロフォン側コネクタの平面図、図８は図６のＡ矢視図、図９は図７のＢ矢視図、図１０は図８のＣＣ線断面図である。
図１１は電子機器側コネクタにマイクロフォン側コネクタが挿入された状態を示す断面図、図１２は電子機器側コネクタにマイクロフォン側コネクタが装着された状態を示す断面図である。
図１３は電子機器側コネクタの上方にマイクロフォン側コネクタを位置させた状態を示す斜視図、図１４は図１３のＡ矢視図、図１５は電子機器側コネクタにマイクロフォン側コネクタが装着された状態を示す斜視図、図１６は図１５のＡ矢視図である。
【０００８】
図１に示すように、本実施例において電子機器はビデオカメラ１００であり、外装を構成するケース１０２を有している。なお、本明細書において左右は、ビデオカメラ１００を前方から見た状態でいうものとし、また、光学系の光軸方向で被写体側を前方といい、撮像素子側を後方という。
ケース１０２は、左右方向の幅と、この幅よりも大きな寸法の上下方向の高さと、この高さよりも大きな寸法の前後方向の長さとを有している。
ケース１０２は、前方および後方に臨む前面１０２Ａおよび後面１０２Ｂと、上方および下方に臨む上面１０２Ｃおよび下面１０２Ｄと、左方および右方に臨む左側面１０２Ｅおよび右側面１０２Ｆとを有している。
ケース１０２の前面１０２Ａ上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータと、マイクロフォン装置２００から供給される複数チャンネルのオーディオデータ（信号）とを磁気記録テープ、あるいは、磁気ディスク、あるいは、光ディスクなどの記録媒体に記録再生する記録再生部などが収容されている。この記録再生部は磁気記録テープを走行させたり、あるいは、磁気ディスクや光ディスクを回転駆動するためのモータなどの駆動源を備えている。
ケース１０２の後面１０２Ｂ上部には前記撮像素子によって撮像された被写体像を視認するための電子式ファインダー１０８が設けられている。
ケース１０２の右側面１０２Ｆには前記撮像素子によって撮像された被写体像などを表示するためのディスプレイ１１０が開閉可能に設けられている。
ケース１０２の後面１０２Ｂ、左側面１０２Ｅ、右側面１０２Ｆには、撮影スタートストップスイッチなどの操作スイッチ１０３や種々の設定を行うための設定スイッチ１０３が設けられている。
マイクロフォン装置２００は、収音を行い複数チャンネルのオーディオ信号を出力するものであり、マイクロフォン装置２００は、ビデオカメラ１００に装脱可能に装着されるように構成されている。
本実施例では、マイクロフォン装置２００の下端にマイクロフォン側コネクタ４０が設けられており、このマイクロフォン側コネクタ４０が、ビデオカメラ１００のケース１０２の上面１０２Ｃに設けられた電子機器側コネクタ１０に係脱可能に結合され、これによりマイクロフォン装置２００がビデオカメラ１００に装着される。
電子機器側コネクタ１０は、ケース１０２の上面１０２Ｃに設けられた収容凹部１１２に配置されており、収容凹部１１２は蓋体１１４により開閉されるように構成されている。
【０００９】
まず、電子機器側コネクタ１０について説明する。
図２、図３に示すように、電子機器側コネクタ１０は、合成樹脂材料を用いて一体に型成形された内側部材１２と、鋼板が屈曲形成された外側部材１４とを備え、内側部材１２は外側部材１４の内側下部に嵌合固定されている。
外側部材１４は、底板部１４Ａと、底板部１４Ａの両側から起立する側板部１４Ｂと、側板部１４Ｂの上端から互いに向かい合う方向に屈曲形成された一対の上板部１４Ｃとを備えている。
電子機器側コネクタ１０は、電源用または信号授受用の接片１６と、一対の係止板２０と、対向する一対の係止板２０の間に形成されたガイド溝１８と、各係止板２０の下面に臨むように設けられた空間部２２とを備えている。
一対の係止板２０は一対の上板部１４Ｃにより形成され、同一面上で延在してそれらの縁部が互いに対向している。
ガイド溝１８は、互いに対向する一対の係止板２０の縁部の間に前記対向する方向と直交する方向に延在形成され、その延在方向の両端は開放されている。
互いに対向する係止板２０の縁部には、互いに対向する係止板２０の縁部が離れる方向に窪む第１凹部２００２（または係止板２０が切り欠かれた切り欠き２００２）と、互いに対向する係止板２０の縁部が近づく方向に突出する第１凸部２００４と、互いに対向する係止板２０の縁部が離れる方向に窪む第２凹部２００６と、互いに対向する係止板２０の縁部が近づく方向に突出する第２凸部２００８とがガイド溝１８の延在方向にそれらの順番で設けられている。
各第１凸部２００４の先端縁部と各第２凸部２００８の先端縁部はガイド溝１８の延在方向に平行して直線状に延在している。第１凸部２００４は、図４（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、マイクロフォン側コネクタ４０（図６参照）が収容凹部１１２の深さ方向に挿入され、その後、前記深さ方向と直交する方向に移動されるスペースであり、係止板２０の下方で両側板部１４Ｂの内側で内側部材１２の上方の空間である。
なお、実施例の説明において便宜上、マイクロフォン側コネクタ４０を電子機器側コネクタ１０に装着する際、マイクロフォン側コネクタ４０をガイド溝１８を通して空間部２２に挿入する方向（収容凹部１１２の深さ方向）を挿入方向といい、マイクロフォン側コネクタ４０を空間部２２に挿入したのち収容凹部１１２の深さ方向と直交する方向にマイクロフォン側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対のコネクタ側ガイド面２４が設けられている。この一対のコネクタ側ガイド面２４は、ガイド溝１８の延在方向と直交する方向、すなわちガイド溝１８の幅方向におけるマイクロフォン側コネクタ４０の位置決めを行うものである。
【００１０】
図３に示すように、電子機器側コネクタ１０の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な中間面１２０７が設けられ、この中間面１２０７は、第１凹部２００２と第１凸部２００４の下方で両側板部１４Ｂに沿った内側部材１２の箇所に延在している。
本実施例では、マイクロフォン側コネクタ４０が空間部２２に挿入される際に、マイクロフォン側コネクタ４０の先端面５００６（図６参照）が中間面１２０７に当て付けられることで、空間部２２内においてマイクロフォン側コネクタ４０の前記挿入方向の位置が規制されるように、言い換えると位置決めがなされるように構成されている。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。
【００１１】
電子機器側コネクタ１０の複数の接片１６について詳細に説明すると、図５（Ｆ）に示すように、ケースには、細幅で細長状の金属板材からなる帯板状の複数のリード線１５が設けられ、各接片１６はそれらリード線１５の部分によって構成されている。
複数のリード線１５の一端が開口を介して接片取り付け面１２０６の上方に露出し接片１６として配置され、図４（Ａ）に示すように、各接片１６は長手方向が前記装着方向と一致して直線状に延在している。
電子機器側コネクタ１０の複数の接片１６は、図４（Ａ）に示すように、前記装着方向における端部がガイド溝１８の幅方向において直線上に位置するように並べられ、複数の接片１６のうちグランド電位に接続されるグランド接片１６０２は、他の信号接片１６０４に比較して長手方向の寸法が大きく形成されており、グランド接片１６０２の前記取り外し方向における端部は他の信号接片１６０４の端部よりも突出している。
このような各接片１６０２、１６０４のレイアウト（配置）は、マイクロフォン側コネクタ４０を電子機器側コネクタ１０に装着する際に、図６に示すように、マイクロフォン側コネクタ４０の接片４８のうちグランド電位に接続されるグランド接片４８０２が、他の信号接片４８０４に先行して、電子機器側コネクタ１０のグランド接片１６０２に接続させ、マイクロフォン装置２００とビデオカメラ１００の基準電位を最初にグランド電位にさせることで静電ノイズの影響を受けにくくするとともに、マイクロフォン装置２００およびビデオカメラ１００の動作の安定化を図る目的でなされている。
また、本実施例では、２つのグランド接片１６０２が複数の接片１６のガイド溝１８の幅方向の両側に設けられている。
このような各接片１６０２、１６０４のレイアウト（配置）は、マイクロフォン側コネクタ４０がガイド溝１８の延在方向に対して傾斜して挿入された場合であっても、幅方向両側のグランド接片１６０２の何れか一方が、これらグランド接片１６０２に対応するマイクロフォン側コネクタ４０のグランド接片４８０２（図６参照）の何れかに接触することで、マイクロフォン装置２００とビデオカメラ１００の基準電位をより確実にグランド電位にさせ、静電ノイズの影響を受けにくくするとともに、マイクロフォン装置２００およびビデオカメラ１００の動作のより一層の安定化を図る目的でなされている。
また、図５（Ｆ）に示すように、各接片１６を除くリード線１５部分は内側部材１２内部に配設され、リード線１５の他端は、内側部材１２の前記装着方向の端部に開口された孔部１２０８内に導かれている。
図４（Ｃ）、図５（Ｅ）、（Ｆ）に示すように、内側部材１２の底部および外側部材１４の底板部１４Ａには、孔部１２０８に通じるように欠部１４０２が設けられ、図１２に示すように、ビデオカメラ１００に設けられたフレキシブル基板１５０の接続端１５２が欠部１４０２を介して孔部１２０８に挿入され孔部１２０８内で接続端１５２が各接片１６の他端に電気的に接続されるとともに、各他端の弾性により、接続端１５２が各他端と孔部１２０８を構成する壁面との間に挟持される。
これにより、フレキシブル基板１５０を介してビデオカメラ１００内部の電子回路から各接片１６にマイクロフォン装置２００を駆動するための電気信号が供給され、あるいは、各接片１６からビデオカメラ１００内部の電子回路にマイクロフォン装置２００からの電気信号（オーディオ信号）が供給されるように構成されている。
この際、図１２に示すように、外側部材１４の底板部１４Ａがビデオカメラ１００の凹部１１２の底面に取着される場合、外側部材１４に欠部１４０２が設けられているため、フレキシブル基板１５０を欠部１４０２内で屈曲させてビデオカメラ１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図５（Ｆ）において符号１２１１は外側部材１４の底面に突設された位置決め用のボスであり、このボス１２１１をビデオカメラ１００の収容凹部１１２の底面に設けられた孔に係合させることで電子機器側コネクタ１０の位置決めを行うようになっている。
【００１２】
本実施例では、図３に示すように、傾斜面１２０４は、アース電位に接続される接片１６０２に対応する傾斜面１２０４Ａと、他の接片１６０４に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａと、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はマイクロフォン側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、マイクロフォン側コネクタ４０を電子機器側コネクタ１０に挿入して前記装着方向に移動させる際、マイクロフォン側コネクタ４０の接片４８が前記間隔分だけ接片取り付け面１２０６と摺接することにより、マイクロフォン側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、マイクロフォン側コネクタ４０の接片４８の滑走面として機能する。
【００１３】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２、図１１）に付勢するスプリング（不図示）が設けられ、カバー２６は、前記装着方向への移動時にマイクロフォン側コネクタ４０の軸部５０の箇所である起立面６０（図６参照）に当接して軸部５０により接片１６を開放する開放位置（図３、図１２）に移動されるように構成されている。
また、前記取り外し方向における中間面１２０７の端部には、ガイド溝１８の幅方向に沿って当接面１２１０が延在形成されている。
本実施例では、マイクロフォン側コネクタ４０が空間部２２に挿入される際に、マイクロフォン側コネクタ４０の起立面６０（図６参照）が当接面１２１０に当て付けられることで、空間部２２内においてマイクロフォン側コネクタ４０の前記装着方向の位置が規制されるように、言い換えると位置決めがなされるように構成されている。
【００１４】
図２、図３に示すように、内側部材１２の底面１２０２におけるガイド溝１８の幅方向両側箇所には、コネクタ側ガイド面２４に沿って延在する凹部１２２０が設けられ、マイクロフォン側コネクタ４０の挿入時にこの凹部１２２０にガイド壁５８（図６参照）の先端が収容される。
凹部１２２０の前記取り外し方向の端部には凹部１２２０の前記取り外し方向の端部を閉塞する壁部１２２２が設けられ、この壁部１２２０の上面は底面１２０２と同一面上に位置している。
これにより、マイクロフォン側コネクタ４０の軸部５０（図６参照）を電子機器側コネクタ１０の前記取り外し方向に臨む箇所から前記装着方向に挿入しようとしても、軸部５０のガイド壁５８が壁部１２２２に当接して前記装着方向への挿入が禁止されるように構成されている。
したがって、マイクロフォン側コネクタ４０の軸部５０を電子機器側コネクタ１０の前記取り外し方向に臨む箇所から前記装着方向に挿入するといった誤った操作を禁止することができるように構成されている。
これにより、マイクロフォン側コネクタ４０を電子機器側コネクタ１０に装着する際に、マイクロフォン側コネクタ４０をガイド溝１８の間から空間部２２に挿入するという操作のみを許容することができるので、マイクロフォン装置２００をビデオカメラ１００に装着する際の操作方法を１つに限定でき使い勝手を向上させることができるように構成されている。
【００１５】
次にマイクロフォン側コネクタ４０の構成について説明する。
図１に示すように、マイクロフォン装置２００はマイクロフォン収容ケース２０２を有し、マイクロフォン収容ケース２０２は、マイクロフォン収容部２０４と、その下部に設けられた取り付け部２０６とを有している。
取り付け部２０６の下面には、円柱状の軸部材４２が下方に突出しており、この円柱状の軸部材４２は取り付け部２０６に設けられている。
図６に示すように、軸部材４２の長さ方向の先部（下端）には断面形状が軸部材４２より小さい角柱状で軸部材４２と同軸上で延在する軸部５０が設けられ、マイクロフォン側コネクタ４０は軸部５０に設けられている。
軸部５０は非導電性の合成樹脂材料で構成されている。
軸部５０の先部の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
軸部５０の先部の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが互いに間隔をおいて突出形成されている。
本実施例では、第１、第２係止片５００２、５００４の前記装着方向の延在長さは軸部５０の前記装着方向の寸法の約１／３程度に形成されている。
【００１６】
図８〜図１０に示すように、軸部５０の先部の両側の側面で第１係止片５００２と第２係止片５００４との間の箇所にはばね片５２がそれぞれ湾曲状に突出しており、ばね片５２は薄板状のばね鋼板が軸部５０の内部に組み込まれることで配設されている。
ばね片５２は、第１係止片５００２および第２係止片５００４よりも軸部５０の基部寄りに変位した箇所に設けられ、ばね片５２は、第１係止片５００２が第１凹部２００２を通って空間部２２に位置し第２係止片５００４が第２凹部２００４を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００８内に位置し、マイクロフォン装置２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にマイクロフォン装置２００を仮止めするように構成されている。
【００１７】
また、軸部５０の先端には先端面５００６が設けられ、先端面５００６は軸部５０が空間部２２に挿入される際に電子機器側コネクタ１０の中間面１２０７に当接し、空間部２２内においてマイクロフォン側コネクタ４０の前記挿入方向の位置が規制されるように、言い換えると位置決めがなされるように構成されている。
本実施例では、両側の第１係止片５００２の基端から互いに対向するように一対のガイド壁５８が軸部５０の長手方向（前記挿入方向）に突出形成され、一対のガイド壁５８の外側面は一対のコネクタ側ガイド面２４に摺動可能なマイクロフォン側ガイド面５４として形成され、マイクロフォン側ガイド面５４がコネクタ側ガイド面２４に接触することで、空間部２２内におけるガイド溝１８の幅方向におけるマイクロフォン側コネクタ４０の位置決めが行われる。
【００１８】
また、本実施例では、マイクロフォン側コネクタ４０の軸部５０が電子機器側コネクタ１０の空間部２２に挿入される際に、空間部２２に対する軸部５０の前記装着方向に沿った向きが逆向きであった場合には、マイクロフォン側コネクタ４０の一対のガイド壁５８が電子機器側コネクタ１０の中間面１２０７に当接され、逆向きでの挿入が禁止されている。
軸部５０の先端で一対のガイド壁５８の基部の間の箇所に先端面５００２と平行する平坦な接片取り付け面５６が設けられ、接片取り付け面５６は、先端面５００６よりも先端方向に変位しており、接片取り付け面５６と先端面５００６との間にはそれらの面５６、５００６に直交する起立面６０が形成されている。
マイクロフォン側コネクタ４０の複数の接片４８は接片取り付け面５６に設けられ、一対のガイド壁５８方向に互いに間隔を置いて直線状に並べられて配置されている。
起立面６０は、軸部５０が電子機器側コネクタ１０の空間部２２に挿入され前記装着方向へ移動される際にカバー２６の端面に当接するように構成されている。
また、軸部５０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、マイクロフォン側コネクタ４０の複数の接片４８と電子機器側コネクタ１０の複数の接片１６が接触するように構成されている。
そして、ビデオカメラ１００からこれら接片１６、４８を介してマイクロフォン装置２００内部の電子回路にマイクロフォン装置２００を駆動するための電源および電気信号が供給され、あるいは、これら接片１６、４８を介してマイクロフォン装置２００内部の電子回路からの電気信号（オーディオ信号）がビデオカメラ１００に供給されるように構成されている。
【００１９】
図１５に示すように、軸部５０の先部がガイド溝１８に挿入された状態で係止板２０の上方の軸部５０箇所に回転可能に環状の操作リング４４が設けられている。本実施例では、軸部材４２と軸部５０との間の箇所に溝が設けられ、この溝に操作リング４４は回転可能に配設されている。
軸部５０の両側に操作リング４４の回転操作により軸部５０の長さ方向に移動する、すなわち上下方向に移動する締め付けブロック７０が設けられている。
締め付けブロック７０は、軸部５０の延在方向と平行に延在する縦板部７００２と、縦板部７００２の下端に設けられ第1係止片５００２および第２係止片５００４が第１凸部２００４と第２凸部２００８の下面に当接した状態で第１凸部２００４と第２凸部２００８の上面に当接し第1係止片５００２および第２係止片５００４と協働して第１凸部２００４と第２凸部２００８を締め付け固定する締め付け部７００４と、第１凸部２００４と第２凸部２００８の間の第２凹部２００６に挿入され軸部５０のガイド溝１８の延在方向に沿った移動を阻止する移動阻止部７００６とを有している。
締め付け部７００４はガイド溝１８の延在方向に長辺を有する直方体状を呈し、縦板部７００２よりも断面が大きい寸法で形成されている。
移動阻止部７００６は締め付け部７００４の下面から直方体状に膨出形成され、第１凸部２００４と第２凸部２００８の間に挿入される寸法、すなわち第２凹部２００６に挿入される寸法で形成されている。
なお、締め付けブロック７０の配設は、例えば軸部５０に設けた凹部に縦板部７００２を該軸部５０の長手方向にのみ移動可能に挿入し、締め付けブロック７０の内周の雌ねじを縦板部７００２の外面の雄ねじに螺合させるなど、従来公知の様々な機構、構造が用いられる。
【００２０】
次に電子機器側コネクタ１０およびマイクロフォン側コネクタ４０の使用方法について説明する。
ビデオカメラ１００にマイクロフォン装置２００を装着する場合には、蓋１１４を取り外して電子機器側コネクタ１０をケース１０２の外部に露出させる。
そして、図１３、図１４に示すように、マイクロフォン側コネクタ４０の先端面５００６を電子機器側コネクタ１０の中間面１２０７に臨ませ、マイクロフォン側コネクタ４０の第１係止片５００２を電子機器側コネクタ１０の第１凹部２００２に臨ませ、かつ、マイクロフォン側コネクタ４０の第２係止片５００４を電子機器側コネクタ１０の第２凹部２００６に臨ませ、この状態でマイクロフォン側コネクタ４０の軸部５０を電子機器側コネクタ１０のガイド溝１８の間に挿入し、これによりマイクロフォン側コネクタ４０の両側のマイクロフォン側ガイド面５４がコネクタ側ガイド面２４に接触し、空間部２２内におけるガイド溝１８の幅方向におけるマイクロフォン側コネクタ４０の位置決めが行われる。
このようなマイクロフォン側コネクタ４０の挿入により、図１１に示すように、マイクロフォン側コネクタ４０の第１係止片５００２は第１凹部２００２を通って空間部２２に位置し、第２係止片５００４は第２凹部２００６を通って空間部２２に位置し、また、マイクロフォン側コネクタ４０の先端面５００６が電子機器側コネクタ１０の中間面１２０７に当接し、マイクロフォン側コネクタ４０のばね片５２が第１凹部２００２内に位置する。
【００２１】
次いで、図１２に示すように、軸部５０を前記装着方向に移動させると、ばね片５２は、軸部５０の前記装着方向への移動に伴い第１凸部２００４の先端に弾接して軸部５０の側面に僅かに没入され、第１凸部２００４の先端に弾接しつつ軸部５０と一体に移動する。
やがて、第１係止片５００２および第２係止片５００４が第１凸部２００４と第２凸部２００８の下面に位置した状態でばね片５２は第２凹部２００６内に突出し、マイクロフォン側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、軸部５０の前記装着方向への移動により、マイクロフォン側コネクタ４０の起立面６０により電子機器側コネクタ１０のカバー２６が前記開放位置に移動されるとともに、マイクロフォン側コネクタ４０の各接片４８が傾斜面１２０４および接片取り付け面１２０６に摺接したのち電子機器側コネクタ１０の各接片１６にそれぞれ接続され電気的に導通する。
次いで、操作リング４４を回動させると、締め付けブロック７０が下降し、移動阻止部７００６が第１凸部２００４と第２凸部２００８の間の第１凹部２００６に挿入され、軸部５０のガイド溝１８の延在方向に沿った移動が阻止される。
また、締め付けブロック７０の下降に伴い、図１５、図１６に示すように、第1係止片５００２および第２係止片５００４が第１凸部２００４と第２凸部２００８の下面に当接するとともに、締め付け部７００４の下面が第１凸部２００４と第２凸部２００８の上面に当接し、第1係止片５００２および第２係止片５００４と協働して第１凸部２００４と第２凸部２００８を締め付け固定し、マイクロフォン装置２００がビデオカメラ１００に装着される。
これによりマイクロフォン装置２００による収音と、ビデオカメラ１００による撮影とを同時に行うことが可能となる。なお、マイクロフォン装置２００で生成されたオーディオ信号はマイクロフォン側コネクタ４０から電子機器側コネクタ１０を介してビデオカメラ１００に伝達され、ビデオカメラ１００では伝達された前記撮像信号に対して必要な信号処理を行う。
【００２２】
ビデオカメラ１００からマイクロフォン装置２００を取り外す場合には、操作リング４４を回動させることで、締め付けブロック７０を上昇させ、移動阻止部７００６を第１凹部２００６から上方に抜き出し、また、締め付け部７００４を上昇させ、第1係止片５００２および第２係止片５００４との協働による第１凸部２００４と第２凸部２００８の締め付け固定を解除する。
次いでマイクロフォン側コネクタ４０の軸部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００４の下方に位置し、ばね片５２は、第２凹部から第１凸部の先端に弾接して軸部５０の側面に僅かに没入され、第１凸部２００４の先端に弾接しつつ軸部５０と一体に移動し、第１凹部２００２内に突出する。軸部５０の前記取り出し方向への移動により、マイクロフォン側コネクタ４０の各接片４８と電子機器側コネクタ１０の各接片１６とが離間され電気的な導通が解除され、カバー２６は開放位置から閉塞位置に復帰される。
この状態でマイクロフォン側コネクタ４０の軸部５０を前記取り出し方向に動かすと、マイクロフォン側コネクタ４０の第１係止片５００２は第１凹部２００２を通り、第２係止片５００４は第２凹部２００６を通って空間部２２から上方に移動され、マイクロフォン側コネクタ４０の軸部５０が電子機器側コネクタ１０から離間され、マイクロフォン装置２００がビデオカメラ１００から取り外される。
【００２３】
このような構成によれば、電子機器側コネクタ１０にマイクロフォン側コネクタ４０を装着する際に、マイクロフォン側コネクタ４０の第１係止片５００２は第１凹部２００２を通り、第２係止片５００４は第２凹部２００６を通って空間部２２に位置させたのち、マイクロフォン側コネクタ４０の軸部５０を前記装着方向に動かすことで第１係止片５００２を第１凸部２００４の下面に位置させ、第２係止片５００４を第２凸部２００８の下面に位置させた状態で電子機器側コネクタ１０の複数の接片１６にマイクロフォン側コネクタ４０の複数の接片４８が接触する。
ここで、マイクロフォン側コネクタ４０を電子機器側コネクタ１０に装着するために必要なスペースの前記装着方向の寸法Ｓを考えると、本実施例では、第１、第２係止片５００２、５００４の前記装着方向の延在長さが軸部５０の前記装着方向の寸法の約１／３であるため、前記寸法Ｓは前記装着方向に沿ったマイクロフォン側コネクタ４０の寸法（軸部５０の寸法）Ｌと、第１、第２係止片５００２、５００４の前記装着方向の寸法約Ｌ／３との和、すなわち寸法Ｓは約（Ｌ＋Ｌ／３）で済むことになる。
したがって、マイクロフォン側コネクタ４０を電子機器側コネクタ１０に装着するために必要なスペースを、前記装着方向に沿ったマイクロフォン側コネクタ４０の寸法と、第２係止片５００４の前記装着方向の寸法との和で済むことになる。
これに対してマイクロフォン側コネクタ４０を電子機器側コネクタ１０の輪郭の外側から装着する場合には、前記寸法Ｓは前記装着方向に沿ったマイクロフォン側コネクタ４０の寸法Ｌの２倍である２Ｌ必要となる。
したがって、本実施例では、このような場合と比較して電子機器側コネクタ１０の周囲にマイクロフォン側コネクタ４０を装着させるための広いスペースを確保する必要がなく、ビデオカメラ１００およびマイクロフォン装置２００の小型化を図る上で、あるいは、ビデオカメラ１００およびマイクロフォン装置２００のデザイン性を向上させる上で極めて有利となる。
また、操作リング４４を回動させることで、締め付け部７００４が第１凸部２００４と第２凸部２００８の上面に当接し第1係止片５００２および第２係止片５００４と協働して第１凸部２００４と第２凸部２００８を締め付け固定するとともに、移動阻止部７００６が第１凸部２００４と第２凸部２００８の間の第１凹部２００６に挿入され軸部５０のガイド溝１８の延在方向に沿った移動を阻止するので、マイクロフォン側コネクタ４０を電子機器側コネクタ１０に対して強固に装着することができる。
したがって、ガイド溝１８の延在方向に沿った外力がマイクロフォン側コネクタ４０に加わった場合に、マイクロフォン側コネクタ４０が電子機器側コネクタ１０から脱落することを確実に防止する上で有利となる。
【００２４】
また、マイクロフォン側コネクタ４０の第１係止片２００４に係止し第１係止片２００４により挟持される電子機器側コネクタ１０の第１凸部２００４を、すなわちマイクロフォン側コネクタ４０を固定するための第１凸部２００４を、マイクロフォン側コネクタ４０のばね片５２が弾接することでクリック感を発生させる部材として共用したので、部品点数の増加を抑制できコストダウンを図る上で有利となる。
また、マイクロフォン側コネクタ４０の接片４８と電子機器側コネクタ１０の接片１６とが接続した状態で、ばね片５２が第１凸部２００４の端部に弾接するようにし、マイクロフォン側コネクタ４０の仮止めを行うようにしたので、マイクロフォン側コネクタ４０を固定するための第１凸部２００４を、マイクロフォン側コネクタ４０の仮止めを行う部材として共用でき部品点数の増加を抑制できコストダウンを図る上で有利となる。
【００２５】
次に本発明の要部であるマイクロフォン装置２００について説明する。
図１７はマイクロフォン装置２００の回路部分の構成を示すブロック図である。
図１８（Ａ）はマイクロフォン装置２００の平面図、（Ｂ）は（Ａ）のＸ矢視図、（Ｃ）は（Ａ）のＹ矢視図である。
図１９は図１８（Ｂ）のＡＡ線断面図、図２０は図１８（Ｃ）のＢＢ線断面図である。
図２１は保持体９２の斜視図、図２２（Ａ）は連結体９４の諸運面図、（Ｂ）は（Ａ）のＢ矢視図である。
【００２６】
図１７に示すように、マイクロフォン装置２００は、前方収音用のマイクロフォン８０Ａと、左右側方収音用のマイクロフォン８０Ｂと、後方収音用のマイクロフォン８０Ｃとの３つのマイクロフォンと、これら３つのマイクロフォン８０Ａ〜８０Ｃから供給される３つのオーディオ信号を信号処理して複数のオーディオ信号、本実施例では、４チャンネルのオーディオ信号Ｓ１〜Ｓ４として出力する信号処理回路（４チャンネルマトリックス回路）８２と、各オーディオ信号Ｓ１〜Ｓ４を別々に増幅するアンプ８４Ａ〜８４Ｄと、ビデオカメラ１００から供給される電源の電圧調整および電圧の安定化を行って信号処理回路８２およびアンプ８４Ａ〜８４Ｄに供給する電源回路８６とを有している。
また、信号処理回路８２、アンプ８４Ａ〜８４Ｄ、電源回路８６は単一の基板８８（図１９、図２０）に実装された電子部品によって構成され、３つのマイクロフォン８０Ａ、８０Ｂ、８０Ｃは不図示のリード線によって基板８８の導電パターンを介して各アンプ８４Ａ〜８４Ｄと電気的に接続されている。
各アンプ８４Ａ〜８４Ｄの出力端および電源回路８６の入力端は、前述したマイクロフォン側コネクタ４０の各接片４８に電気的に接続されている。
すなわち、マイクロフォン側コネクタ４０がビデオカメラ１００の電子機器側コネクタ１０に装着されることにより、マイクロフォン側コネクタ４０の各接片４８と電子機器側コネクタ１０の各接片１６が電気的に接続され、これら接片４８、１６を介してオーディオ信号Ｓ１〜Ｓ４および電源の供給がなされる。
【００２７】
マイクロフォン装置２００は、図１８、図１９、図２０に示すように、マイクロフォン収容ケース２０２と、３つのマイクロフォン８０Ａ、８０Ｂ、８０Ｃと、３つのマイクロフォン８０Ａ、８０Ｂ、８０Ｃとの間で電気信号の授受を行う基板８８とを備えている。
マイクロフォン収容ケース２０２は、マイクロフォン収容用の細長い収容空間２０８を有するマイクロフォン収容部２０４を有している。
マイクロフォン収容部２０４は円筒状の収容壁２１０を有し、収容空間２０８は収容壁２１０の内部に円柱状に画成されている。
収容壁２１０の長さ方向の両端は、収容空間２０８を開放させる開口部２１２として形成されている。
また、収容空間２０８の長さ方向の中間部に位置する収容壁２１０箇所に、左右側方に収容空間２０８を開放させる複数の矩形の開口部２１４が形成されている。
収容壁２１０の長さ方向の両端の各開口部２１２には、音の通過を可能とし塵埃の通過を阻止するカバー２１６が装着されている。
また、収容壁２１０の外側に音の通過を可能とし塵埃の通過を阻止するカバー２１８が装着されている。
カバー２１６は、例えば、各開口部２１２に取着されるリングと、このリングの内側に取着された網体と、この網体が収容空間２０８に臨む面に取着された薄板状のスポンジとで構成されている。
また、カバー２１８は、例えば、下部が長手方向に沿って開放された円筒状のフレームと、このフレームの長手方向に間隔をおいた複数箇所に上下に延在形成された複数のスリットと、フレームの内側に取着された網体と、この網体が収容空間２０８に臨む面に取着された薄板状のスポンジとで構成され、このカバー２１８は、例えば、収容壁２１０の軸方向から装着される。
【００２８】
基板８８は幅と、この幅よりも大きな寸法の長さを有し長方形に形成されている。
基板８８はその長辺方向（その長さ方向）を収容空間２０８の長さ方向に向け、収容空間２０８の底部に配置されている。
基板８８は、収容空間２０８の長さ方向の全長にわたって延在している。
基板８８の大きさは、例えば、厚さが１ｍｍ、幅が１６ｍｍ、長さが５６ｍｍである。
【００２９】
３つのマイクロフォン８０Ａ、８０Ｂ、８０Ｃは、収容空間２０８の長さ方向に間隔をおいて配置されている。
より詳細には、前方収音用のマイクロフォン８０Ａは、収容空間２０８の長さ方向の一方（前方）を向いて配置され、後方収音用のマイクロフォン８０Ｃは、収容空間２０８の長さ方向の他方（後方）を向いて配置され、左右側方収音用のマイクロフォン８０Ｂは、それらマイクロフォン８０Ａ、８０Ｃの間で収容空間２０８の長さ方向と直交する方向（左右側方）を向いて配置されている。
各マイクロフォン８０Ａ、８０Ｂ、８０Ｃは円柱状を呈し、その大きさは、例えば、直径が３０ｍｍである。
３つのマイクロフォン８０Ａ、８０Ｂ、８０Ｃは、収容空間２０８の内部に配設された支持部材９０により、収容壁２１０と基板８８との双方から離されて支持されている。
支持部材９０は、３つのマイクロフォン８０Ａ、８０Ｂ、８０Ｃが保持される保持体９２と、収容壁２１０と保持体９２を連結する連結体９４(図２２参照)とで構成されている。
図２１に示すように、保持体９２は、細長い形状をなしその長さ方向に間隔をおいた３箇所に３つのマイクロフォン８０Ａ、８０Ｂ、８０Ｃが嵌め込まれ保持される複数の円筒壁状の保持壁９２０２と、それら保持壁９２０２間を連結する細幅板状の連結壁９２０４を有している。
図２２に示すように、連結体９４は、収容壁２１０と保持体９２の長さ方向に間隔をおいた複数箇所とを連結するように構成され、本実施例では、収容壁２１０と保持体９２の長さ方向の両端とを連結するように構成されている。
連結体９４は、弾性変形可能な材料、例えば、シリコンゴムなどで矩形枠状に形成されている。
連結体９４は、例えば、内側に位置する複数のボス部９４０２と、外側に位置する複数のボス部９４０４とを備え、図２０に示すように、内側のボス部９４０２が保持体９２のピン９２０６に装着され、外側のボス部９４０４が収容壁２１０のピン２１１に装着され、これにより３つのマイクロフォン８０Ａ、８０Ｂ、８０Ｃは、支持部材９０を介して収容壁２１０と基板８８との双方から離されて支持される。
【００３０】
取り付け部２０６は、マイクロフォン収容部２０４に接続される上部２０６Ａと、軸部材４２が収容される下部２０６Ｂとを有し、図１９、図２０に示すように、上部２０６Ａと下部２０６Ｂは防振ゴム９６を介在させた状態で連結されている。
また、軸部材４２の上端のフランジ４２５０が下部２０６Ｂの溝２０６Ｃに結合され、これによりマイクロフォン装置２００がビデオカメラ１００に装着された状態で、マイクロフォン装置２００を水平面内で旋回させマイクロフォン装置２００の向きを調節できるように構成されている。
【００３１】
本実施例によれば、マイクロフォン装置２００は、マイクロフォン収容ケース２００２と、３つのマイクロフォン８０Ａ、８０Ｂ、８０Ｃと、基板８８とを備え、マイクロフォン収容ケース２０２は、マイクロフォン収容用の細長い収容空間２０８を有するマイクロフォン収容部２０４を有し、基板８８は幅と、この幅よりも大きな寸法の長さを有し、基板８８はその長さ方向を収容空間２０８の長さ方向に向けて収容空間２０８の底部に配置され、３つのマイクロフォン８０Ａ、８０Ｂ、８０Ｃは収容空間２０８内で基板８８の上方に配置されているので、ビデオカメラ１００側で発生するノイズ、例えば、前記記録再生部のモータから発生する音などが基板８８によって遮音され、基板８８の上方に配置されている３つのマイクロフォン８０Ａ、８０Ｂ、８０Ｃに伝達されにくくなり、ビデオカメラ１００側から発生するノイズの影響を最小限に抑制する上で有利となる。
また、３つのマイクロフォン８０Ａ、８０Ｂ、８０Ｃが収容空間２０８内で基板８８の上方に配置されているので、各マイクロフォン８０Ａ、８０Ｂ、８０Ｃの周囲には、収音の際に障害となる部材が存在せず、したがって、各マイクロフォン８０Ａ、８０Ｂ、８０Ｃによる収音が全方位にわたってバランスよく行われ収音特性を向上させる上で有利となる。
【００３２】
なお、本実施例では、マイクロフォン装置２００が３つのマイクロフォン８０Ａ、８０Ｂ、８０Ｃを有する場合について説明したが、マイクロフォンの数が２個あるいは４個以上であってもよいことは無論である。
また、本実施例では、マイクロフォン装置２００が取着される電子機器がビデオカメラである場合について説明したが、本発明のマイクロフォン装置が取着される電子機器はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどであってもよいことはもちろんである。
【図面の簡単な説明】
【００３３】
【図１】実施例１のビデオカメラ１００を前方から見た斜視図である。
【図２】電子機器に設けられた電子機器側コネクタのシャッタが閉塞位置にある状態を示す斜視図である。
【図３】電子機器に設けられた電子機器側コネクタのシャッタが開放位置にある状態を示す斜視図である。
【図４】（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
【図５】（Ｅ）は図４（Ｄ）のＥ矢視図、（Ｆ）は（Ｅ）のＦＦ線断面図である。
【図６】マイクロフォン８０Ａ、８０Ｂ、８０Ｃ装置に設けられたマイクロフォン８０Ａ、８０Ｂ、８０Ｃ側コネクタの斜視図である。
【図７】マイクロフォン８０Ａ、８０Ｂ、８０Ｃ側コネクタの平面図である。
【図８】図６のＡ矢視図である。
【図９】図７のＢ矢視図である。
【図１０】図８のＣＣ線断面図である。
【図１１】電子機器側コネクタにマイクロフォン８０Ａ、８０Ｂ、８０Ｃ側コネクタが挿入された状態を示す断面図である。
【図１２】電子機器側コネクタにマイクロフォン８０Ａ、８０Ｂ、８０Ｃ側コネクタが装着された状態を示す断面図である。
【図１３】電子機器側コネクタの上方にマイクロフォン８０Ａ、８０Ｂ、８０Ｃ側コネクタを位置させた状態を示す斜視図である。
【図１４】図１３のＡ矢視図である。
【図１５】電子機器側コネクタにマイクロフォン８０Ａ、８０Ｂ、８０Ｃ側コネクタが装着された状態を示す斜視図である。
【図１６】図１５のＡ矢視図である。
【図１７】マイクロフォン８０Ａ、８０Ｂ、８０Ｃ装置２００の回路部分の構成を示すブロック図である。
【図１８】（Ａ）はマイクロフォン８０Ａ、８０Ｂ、８０Ｃ装置２００の平面図、（Ｂ）は（Ａ）のＸ矢視図、（Ｃ）は（Ａ）のＹ矢視図である。
【図１９】図１８（Ｂ）のＡＡ線断面図である。
【図２０】図１８（Ｃ）のＢＢ線断面図である。
【図２１】保持体９２の斜視図である。
【図２２】（Ａ）は連結体９４の諸運面図、（Ｂ）は（Ａ）のＢ矢視図である。
【符号の説明】
【００３４】
１００……ビデオカメラ、２００……マイクロフォン装置、２０２……マイクロフォン収容ケース、２０４……マイクロフォン収容部、２０８……収容空間、８０Ａ、８０Ｂ、８０Ｃ……マイクロフォン、８８……基板。
【図１】
2006186758.tif 000003
【図２】
2006186758.tif 000004
【図３】
2006186758.tif 000005
【図４】
2006186758.tif 000006
【図５】
2006186758.tif 000007
【図６】
2006186758.tif 000008
【図７】
2006186758.tif 000009
【図８】
2006186758.tif 000010
【図９】
2006186758.tif 000011
【図１０】
2006186758.tif 000012
【図１１】
2006186758.tif 000013
【図１２】
2006186758.tif 000014
【図１３】
2006186758.tif 000015
【図１４】
2006186758.tif 000016
【図１５】
2006186758.tif 000017
【図１６】
2006186758.tif 000018
【図１７】
2006186758.tif 000019
【図１８】
2006186758.tif 000020
【図１９】
2006186758.tif 000021
【図２０】
2006186758.tif 000022
【図２１】
2006186758.tif 000023
【図２２】
2006186758.tif 000024